(57)【要約】【課題】  フード付き衣料におけるフード部分が他の部分と重ならずに、且つ、拡張した状態にして掛けておくことができる衣料用ハンガーを提供する。【解決手段】  フック部２と、このフック部２の下端からそれぞれ左右方向に伸びる左右肩支持部３、３とを有するハンガー本体１において、ハンガー本体１の中央部下端には左右一対の支軸７、７が突設されていて、これらの支軸７、７に左右フード掛け杆４、４をそれぞれの基端部に設けている扇形歯車９、９を互いに噛合させた状態で支持させてあり、これらの左右フード掛け杆４、４をその先端間が所望の開度となるように後方に回動させてハンガー本体１に掛けた衣料のフードを上向きに開口させた状態で左右フード掛け杆４、４の先端に掛止させるように構成している。【選択図】  図６
2020124310.tif 000002
【特許請求の範囲】
【請求項１】
フック部と、上記フック部の下端からそれぞれ左右方向に伸びた一対の肩支持部とを有するハンガー本体と、上記ハンガー本体の中央部に左右に小間隔を存して下方に突設している一対の支軸と、これらの支軸にそれぞれの基端を支持させてハンガー本体の後方において互いに接離する左右方向に回動自在に設けてなる左右のフード掛け杆とを備えてなることを特徴とする衣料用ハンガー。
【請求項２】
左右のフード掛け杆の基端には扇形歯車が設けられてあり、これらの扇形歯車を互いに噛合させた状態にして上記左右の支軸にそれぞれ回動自在に支持させていることを特徴とする請求項１に記載の衣料用ハンガー。
【請求項３】
左右の支軸を上端から下端に向かって後方に傾斜させていると共に互いに接近する方向に傾斜させてあり、これらの支軸から左右のフード掛け杆をそれぞれ支軸に対して直交する方向に突設していることを特徴とする請求項１又は請求項２に記載の衣料用ハンガー。
【請求項４】
左右のフード掛け杆の基端部にこれらのフード掛け杆の先端間の開度を所望の開度に保持するための保持手段が設けられていることを特徴とする請求項１に記載の衣料用ハンガー。
【請求項５】
保持手段は、左右のフード掛け杆の基端部の外周面に周方向に湾曲するように形成された多角形壁部からなり、一方の多角形壁部における隣接する角部間の面と、この面に対向する他方の多角形壁部における隣接する角部間の面とを圧接させることにより左右のフード掛け杆の先端間を所望の開度に保持するように構成していることを特徴とする請求項４に記載の衣料用ハンガー。
【発明の詳細な説明】
【技術分野】
【０００１】
本発明は、フード付き衣料をそのフード部分が衣料の後身頃と接触することなく掛けておくことができる衣料用ハンガーに関する。
【背景技術】
【０００２】
従来から、衣料は、洗濯された後にハンガーに掛けて干されることにより乾燥させられる。しかしながら、フード付き衣料をハンガーに掛けた場合、フードが垂れ下がって衣料の後身頃に重なり、この重なった部分では通気性が悪くなるため、乾きにくくなるといった問題があった。
【０００３】
そこで、特許文献１には、ハンガー本体に上下方向に回動可能なＵ字状のフード掛け部を設けてなる衣料用ハンガーが開示されている。この衣料用ハンガーにフード付き衣料を掛ける際には、ハンガー本体に衣料の肩部を掛けて衣料を吊り下げると共に、フード掛け部を回動操作して上方に起立させた状態にしたのち、この起立したフード掛け部にフード部を掛けることにより、フードを首部から上方に緊張させた状態にして衣料の後身頃に重なることを防止している。
【先行技術文献】
【特許文献】
【０００４】
【特許文献１】特開２０１７−２３６７０号公報
【発明の概要】
【発明が解決しようとする課題】
【０００５】
しかしながら、  上記フード掛け部の長さが一定に形成されているため、フードの大きさ、形状によっては上方に起立させたフード掛け部にフードを掛け渡した際に、フードに弛みが発生する虞れがあり、さらに、フードの自重によってフード掛け部が伏動する方向に付勢されて下方に回動し、フードがフード掛け部から外れる事態が発生したり、フードの後頭被覆部分が衣料の後身頃に重なり、通気性が悪くなって乾きにくくなる虞れがあった。
【０００６】
また、ハンガー本体に上下方向に回動自在に設けた上記フード掛け部の長さを、衣料のフード部が上下方向に全面的に拡張可能な長さに形成すると、フード掛け部の先端部が、ハンガー本体の中央部に上方に向かって突設しているフック部からさらに上方に突出した状態となり、ハンガー本体を物干し竿等の棒状部材の長さ方向に対して直交する方向に向けた状態にしてフック部を上記棒状部材に掛止させた場合には、棒状部材がフード掛け部の上方への回動を阻止してフード掛け部が垂直状態にまで起立することなく斜め上方に傾斜させた状態となり、フードを十分に乾燥できる安定した拡張形態に保持することができなくなるといった問題点があった。
【０００７】
本発明は、このような問題点に鑑みてなされたもので、その目的とするところは、フード付き衣料をそのフード部分が衣料の後身頃と接触させることなく、且つ全面的に拡張させて乾燥を促進し得る形態となるように掛けておくことができる衣料用ハンガーを提供することにある。
【課題を解決するための手段】
【０００８】
上記目的を達成するために、本発明の衣料用ハンガーは、請求項１に記載したように、フック部と、上記フック部の下端からそれぞれ左右方向に伸びた一対の肩支持部とを有するハンガー本体と、上記ハンガー本体の中央部に左右に小間隔を存して下方に突設している一対の支軸と、これらの支軸にそれぞれの基端を支持させてハンガー本体の後方において互いに接離する左右方向に回動自在に設けてなる左右のフード掛け杆とを備えてなることを特徴とする。
【０００９】
このように構成した衣料用ハンガーにおいて、請求項２に係る発明は、上記左右のフード掛け杆の基端には扇形歯車が設けられてあり、これらの扇形歯車を互いに噛合させた状態にして上記左右の支軸にそれぞれ回動自在に支持させていることを特徴とする。
【００１０】
さらに、請求項３に係る発明は、上記左右の支軸を上端から下端に向かって後方に傾斜させると共に互いに接近する方向に傾斜させてあり、これらの支軸から左右のフード掛け杆をそれぞれ支軸に対して直交する方向に突設していることを特徴とする。
【００１１】
また、請求項４に係る発明は、上記左右のフード掛け杆の基端部にこれらのフード掛け杆の先端間の開度を所望の開度に保持するための保持手段が設けられていることを特徴とする。
【００１２】
上記保持機構は、請求項５に記載したように、左右のフード掛け杆の基端部の外周面に周方向に湾曲するように形成された多角形壁部からなり、一方の多角形壁部における隣接する角部間の面と、この面に対向する他方の多角形壁部における隣接する角部間の面とを圧接させることにより左右のフード掛け杆の先端間を所望の開度に保持するように構成していることを特徴とする。
【発明の効果】
【００１３】
請求項１に記載の衣料用ハンガーによれば、ハンガー本体の中央部に左右に小間隔を存して下方に向かって突設した支軸に、左右のフード掛け杆の基端をそれぞれハンガー本体の後方において互いに左右方向に接離するように回動自在に支持させているので、フード付き衣料の肩部分をハンガー本体の肩支持部に掛けてハンガー本体から吊り下げる一方、上記左右のフード掛け杆を互いに接近する方向に回動操作すれば、これらの左右フード掛け杆をその先端間の開き幅が所望の幅となるように後方に向かって突設させることができる。
【００１４】
この状態にして上記ハンガー本体に吊支させている上記衣料に付設したフードを衣料の首部から後方に向かって屈折させてその開口端を上向きにすると共にこの上向き開口部内に上記左右フード掛け杆を収めた状態にしてこれらの左右フード掛け杆の先端にフードの開口端部における対向する内側面を押し付けてフード掛け杆の先端面でその内側面を窪ませれば、この窪み変形によって左右フード掛け杆の先端をフードの開口部における対向する内側面に掛止させることができると共に、左右フード掛け杆の先端間の開きによってフードを左右方向に全面的に拡張させることができる。
【００１５】
従って、フードの開口部の対向する内側面に対する左右フード掛け杆の先端部の掛止力によってフードが不測に左右フード掛け杆から外れるのを阻止することができると共にフードの開口部が上向きとなり、且つ、その開口部に皺や弛みを生じさせることなく大きく拡張させた状態を保持しているので、良好な通気性を確保することができて短時間での円滑な乾燥を可能にすることができると共に、左右フード掛け杆から吊り下げられたフードの後頭被覆部分が衣料の後身頃の背面に接触することなく後方に離れた状態となるように保持して乾燥することができる。
【００１６】
さらに、上記左右フード掛け杆の先端部が掛止したフードの開口端部における対向する内側面からフードの開口端までのフードの開口縁部を内側に向かって折り曲げて左右フード掛け杆の先端部を被覆すれば、フード掛け杆の先端に対するフード開口部の掛止が一層確実になると共に、必要に応じて、左右フード掛け杆をさらにこれらの先端間の開き幅が大きくなるように互いに離間する左右方向（水平方向）に回動操作すれば、フードを左右に一層大きく拡張させることができると共にフードに対する左右フード掛け杆の先端の掛止力を大きくすることができる。また、左右のフード掛け杆の先端間の開き幅（以下、開度する）をフードの大きさ、形状に応じて大小に変更、調整することができる。
【００１７】
また、不使用時には、上記左右のフード掛け杆をその開度が１８０度となるように左右に回動させれば、これらの左右フード掛け杆をハンガー本体の左右の肩支持部に沿って折り畳んだ状態にすることができ、フード掛け杆が邪魔になることなく、且つ、外観に優れたハンガーを提供することができる。
【００１８】
請求項２に係る発明によれば、上記左右のフード掛け杆の基端には扇形歯車が設けられてあり、これらの扇形歯車を互いに噛合させた状態にして上記左右の支軸にそれぞれ回動自在に支持させているので、左右のフード掛け杆の互いに接離する方向に回動する角度を常に一定となるように連動させることができ、フード掛け杆の回動操作性が簡単に行えるばかりでなく、フードを左右に均等に拡張させることができる。
【００１９】
請求項３に係る発明によれば、上記左右の支軸を上端から下端に向かって後方に傾斜させていると共に互いに接近する方向に傾斜させてあり、これらの支軸から左右のフード掛け杆をそれぞれ支軸に対して直交する方向に突設しているので、フードの自重等によって左右のフード掛け杆の先端間が狭まる方向に移動しようとしても、その方向への移動によってこれらの左右フード掛け杆の先端が上方に移動してこれらの先端をフードの対向する内側面に一層強固に掛止させることができ、フードがズレたり皺等が生じるとを抑制することができる。
【００２０】
さらに、請求項４に係る発明によれば、上記左右のフード掛け杆の基端部には、これらのフード掛け杆の先端間の開度を所望の開度に保持するための保持手段が設けられているので、左右のフード掛け杆がフード等に作用する風圧やフードからの荷重等を受けても、妄動したり互いに接近方向に回動するのを阻止して安定した状態でフードを掛けておくことができる。
【００２１】
上記保持手段として、請求項５に記載したように、左右のフード掛け杆の基端部の外周面に周方向に形成された多角形壁部からなり、一方の多角形壁部における隣接する角部間の面と、この面に対向する他方の多角形壁部における隣接する角部間の面とを圧接可能に構成しておけば、これらの多角形壁部の面同士の圧接力によって左右のフード掛け杆の先端間の開度を簡単且つ確実に所望の開度に設定できると共に、その開度を段階的に変化させてフードを左右に拡張することができる。
【図面の簡単な説明】
【００２２】
【図１】本発明の衣料用ハンガーの正面図。
【図２】その背面図。
【図３】左右フード掛け杆を後方に向かって突出させた状態を示す斜視図。
【図４】ハンガー本体からフード掛け杆を分離させた状態の分解図。
【図５】（イ）（ロ）（ハ）は左右フード掛け杆の開度を変化させた状態の一部の平面図。
【図６】ハンガー本体にフード付き衣料を掛けた使用状態を示す斜視図。
【図７】フードのない衣料をハンガー本体に掛けた使用状態を示す斜視図。
【図８】衣料用ハンガーに複数の衣料を掛けた使用状態を示す斜視図。
【図９】その変形例を示す斜視図。
【発明を実施するための形態】
【００２３】
以下に本発明の衣料用ハンガーの実施例を図面に基づいて説明する。図１〜図４において、衣料用ハンガーはフック部２と、このフック部２を中央にしてフック部２の下端から左右方向に伸びた肩支持部３、３とを有するハンガー本体１と、このハンガー本体１の中央部の下面、即ち、互いに連続した左右の肩支持部３、３の連設部の下面に、左右に小間隔を存した状態で下方に突設している左右一対の支軸７、７と、これらの支軸７、７にそれぞれの基端を左右方向に回動自在に支持されている同一長さを有する左右のフード掛け杆４、４とを備えてなり、上記左右の肩支持部３、３は互いに連設した部分、即ち、上記フック部２の下端から先端に向かって下方に緩傾斜させていてその下傾端間を水平の棒状連結部材５によって連結している。
【００２４】
上記左右のフード掛け杆４、４は、上記左右の肩支持部３、３の長さよりも僅かに短い一定長さに形成されてあり、それぞれの先端に上方に向かって鉤状に屈曲した掛止鉤部4a、4aを形成している。
【００２５】
これらの左右フード掛け杆４、４の基端を上記ハンガー本体１の中央部に回動自在に支持させている具体的な構造は、ハンガー本体１の上記中央部下面に下方に向かって突設している左右の支軸７、７に、左右フード掛け杆４、４の基端に形成している縦筒部4b、4bを左右水平方向に回動自在に被嵌させ、これらの縦筒部4b、4bの下端面を支軸７、７の下端に取付けた抜止め部材６によって支持させている。
【００２６】
上記左右フード掛け杆４、４は、支軸７、７に互いに独立して左右方向に回動自在に支持させておいてもよいが、これらの左右フード掛け杆４、４をハンガー本体１の中央部から後方に向かって引き揃え状に突設した突出させた状態から互いに相反する方向に回動する移動量（角度）が常に一定となるように連動するように構成しておくことが望ましい。  
【００２７】
この具体的な構造を説明すると、上記左右のフード掛け杆４、４の基端に設けている上記縦筒部4b、4bの対向する外周面にそれぞれ、この外周面から小間隔を存して該外周面に沿って周方向に円弧状に湾曲してなる扇形歯車８、８を一体に設けてあり、左右のフード掛け杆４、４は、後述するように、ハンガー本体１の左右肩支持部３、３の下面に沿って収められた状態から後方に向かって互いに同一角度、その先端間が狭まる左右方向（水平方向）に回動するように、扇形歯車８、８同士を互いに噛合させた状態にして上記左右の支軸７、７に回動自在に取り付けた構造としている。
【００２８】
さらに、上記左右の支軸７、７は、上端から下端に向かって、上記肩支持部３、３の下方への緩傾斜角度と同一角度でもって互いに接近する方向に傾斜させていると共に後方に向かって僅かに同一角度でもって傾斜させてあり、これらの支軸７、７から上記左右のフード掛け杆４、４を支持７、７の長さ方向に対して直交する方向に突設させて、これらの左右フード掛け杆４、４の先端間が１８０度の開度となるようにそれぞれ左右に回動させた場合に、左右フード掛け杆４、４が左右の肩支持部３、３の下面に沿って収納された状態となり、この状態からこれらのフード掛け杆４、４を互いに先端間の開度が狭くなる方向に回動させた場合には、フード掛け杆４、４が基端から先端に向かって斜め上方に移動し、フード掛け杆４、４が先端に向かって上方に緩傾斜するように構成している。
【００２９】
なお、上記のように支軸７、７を上端から下端に向かって支軸７、７間が狭まる方向に傾斜させている場合には、フード掛け杆４、４の基端に設けている上記扇形歯車８、８もその上端から下端に向かって小径に形成して精度よく噛合するように構成している。
【００３０】
また、上記のように、左右のフード掛け杆４、４を互いに噛合した扇形歯車８、８によって左右方向に連続的に回動させるように構成しておいてもよいが、左右のフード掛け杆４、４の基端部にこれらのフード掛け杆４、４の先端間の開度が所定の角度毎に断続的に保持する保持手段を設けておくことが好ましい。
【００３１】
この保持手段は図４、図５に示すように、上記左右のフード掛け杆４、４の基端に設けている上記扇形歯車８、８の上端面から上方に向かって一定高さを有し、且つ、周方向に扇形歯車８と同一湾曲度でもって周方向に円弧状に湾曲してなる壁部を突設し、この壁部の外周壁面に周方向に縦角部9aを介して一定幅の垂直な面9bを順次、形成してなる多角形壁部９からなり、一方のフード掛け杆４の多角形壁部９における隣接する角部9a、9a間の面9bと、この面9bに対向する他方のフード掛け杆４、４の多角形壁部９における隣接する角部9a、9a間の面9bとの圧接によって、左右のフード掛け杆４、４の先端間を所望の開度に保持可能に構成している。
【００３２】
なお、上記扇形歯車８、８の前後両端には互いに当接して左右のフード掛け杆４、４が必要以上に回動するのを阻止する突起部10、11が設けられてあり、前方側に設けている突起部10、10同士を当接させた場合には、左右のフード掛け杆４、４が１８０度以上に開くのを阻止してこれらのフード掛け杆４、４をそれぞれ左右の肩支持部３、３の下面に沿って収納した状態に保持し、後方側に設けている突起部14、14同士を当接させた場合には、左右のフード掛け杆４、４がハンガー本体１の中央部から後方に向かって引き揃え状態に突設し、フード掛け杆４、４が互いにそれ以上、接近する方向に回動するのを阻止するように構成している。
【００３３】
上記のように構成した衣料用ハンガーの使用態様を説明すると、洗濯したフード付き衣料Ａをこのハンガーに掛けて乾燥させる場合、図６に示すように、このフード付き衣料Ａの両肩部をハンガー本体１の左右の肩支持部３、３に掛けて吊り下げる一方、これらの肩支持部３、３の下面に沿って収納している左右のフード掛け杆４、４を支軸７、７を支点として後方に向かって起立する方向に回動させて図５（イ）或いは図５（ロ）に示すように、左右のフード掛け杆４、４の先端間が所望の開度となるように操作する。
【００３４】
この際に、左右のフード掛け杆４、４の基端には互いに噛合した扇形歯車８、８が設けられているので、左右のフード掛け杆が互いに接離する方向に回動する角度を常に一定となるように連動させることができ、フード掛け杆の回動操作性が簡単且つ精度よく行うことができる。
【００３５】
この状態にしたのち、上記ハンガー本体１に吊支された上記衣料Ａに付設しているフードＢを衣料Ａの首部から後方に向かって屈折させてこのフードＢの開口部を上向きにすると共にこの上向き開口部内に上記左右フード掛け杆４、４を収めた状態にしてこれらの左右フード掛け杆４、４の先端にフードの開口部における対向する内側面を押し付けて食い込ませ、この食い込みによって形成された上記対向する内側面の窪み変形によって左右フード掛け杆４、４の先端をフードＢの開口部における対向する内側面に掛止させると共に、左右フード掛け杆の先端間の開きによってフードを左右方向に拡張させる。
【００３６】
さらに、上記左右フード掛け杆４、４の先端部が掛止したフードＢの開口端部における対向する内側面からフードＢの開口端までの開口縁部を内側に折り曲げて左右フード掛け杆４、４の先端部を被覆すれば、フードＢの開口部における対向する内側面に対するフード掛け杆４、４の先端の掛止状態を確実に保持することができると共に、必要に応じて、左右フード掛け杆４、４をさらにこれらの先端間の開き幅が大きくなるように互いに離間する回動操作すれば、フードＢを左右に一層大きく拡張させることができると共にフードＢに対する左右フード掛け杆４、４の先端の掛止力を大きくすることができる。
【００３７】
その上、フードＢの大きさ、形状が異なっても、その大きさ、形状に応じて左右のフード掛け杆４、４の先端間の開度を大小に変化させることにより、フードＢを左右に均等な拡張力でもって拡張させることができる。
【００３８】
また、上記左右のフード掛け杆４、４の基端部には、互いに対向する面を圧接させてフード掛け杆４、４を所定の開度に保持するための多角形壁部９からなる保持手段が設けられているので、一方のフード掛け杆４の多角形壁部９における隣接する角部9a、9a間の面9bと、この面9bに対向する他方のフード掛け杆４、４の多角形壁部９における隣接する角部9a、9a間の面9bとを圧接させることによって、左右のフード掛け杆４、４が風圧等によって不測に左右方向に回動するのを阻止することができると共に、人手によって左右のフード掛け杆４、４を互いに接離する左右方向に（水平方向）に回動させれば、互いに圧接した上記面9b、9bから角部9aを乗り越えて次の面9b、9b同士を圧接させることができ、フード掛け杆４、４の開度を断続的に変化させることができる。
【００３９】
なお、上記のように構成した衣料用ハンガーによれば、フード付き衣料に限らず、フードなどが設けられていない衣料であっても左右のフード掛け杆４、４を利用して吊り下げることができる。
【００４０】
例えば、図７に示すように、左右のフード掛け杆４、４を回動操作してハンガー本体１の左右肩支持部３、３から後方に向かって起立させた状態にしたのち、ハンガー本体１の左右肩支持部３、３と上記左右のフード掛け杆４、４とを覆うように衣料A1の前後身頃間を拡げた状態にして被せ、衣料A1の前後身頃の上部内面をハンガー本体１の左右肩支持部３、３の上面と左右のフード掛け杆４、４の先端とに掛ければ、衣料A1の前後身頃の対向面間を大きく離間させた状態に吊支することができ、その対向面間で形成された空間部内への通気性が良好となり、衣料の乾燥を促進させることができる。
【００４１】
また、衣料用ハンガーには二枚の衣料A2、A3を掛けることもできる。例えば、図８に示すように、左右のフード掛け杆４、４を回動操作してハンガー本体１の左右肩支持部３、３から後方に向かって起立させた状態にしたのち、ハンガー本体１の左右の肩支持部３、３に一方の衣料A2を掛止させて吊り下げ、上記左右のフード掛け杆４、４に他方の衣料A3を掛止させて吊り下げればよい。また、図９に示すように、左右のフード掛け杆４、４の左右肩支持部３、３から後方への起立度を小さくし、この左右フード掛け杆４、４と、上記ハンガー本体１の左右肩支持部３、３とにそれぞれ異なる衣料A4、A5を掛けて吊り下げてもよい。
【００４２】
ハンガー本体１を物干し竿等に引っ掛けて吊り下げるための上記フック部２の構造としては特に限定されることなく、この実施例においては、フック部２は図２に示すように、開閉可能なリング状のヘッド部2aと、このヘッド部2aをハンガー本体１の中央部に連結する軸体からなるネック部2bとを有する。ヘッド部2aは、上下方向に向かって半円弧状に湾曲した固定部2a1 及び可動部2a2 がバネなどの弾性部材（図示せず）を介して互いに開閉可能に連結されてなり、可動部2a2 の下端に突設したレバー2a3 をを弾性部材の弾性力に抗して操作することによりヘッド部2aを開き、手放すことによって閉じるように構成している。
【００４３】
なお、上記ヘッド部2aにおける固定部2a1 の下端には下方に向かって上記ネック部2bが垂直状に設けられてあり、このネック部2bの下端をハンガー本体１の中央部に回動自在に装着している。
【００４４】
また、ヘッド部2aの上記固定部2a1 の下半部外面に膨出部2a4 を突設している。この膨出部2a4 は、使用者の手の親指と人差し指との間の水掻き部分を支持するためのものであり、水掻き部分を膨出部23に押しつけながらネック部2bを握り締め、指先で上記レバー2a3 を操作して上記ヘッド部2aを開閉するように構成している。
【００４５】
さらに、上記ヘッド部2aにおける上記固定部2a1 の上半部外面には、物干し竿等の棒状物にハンガー本体１を吊り下げるための下向き半円形状に屈曲したフック片2a5 が外側に向かって突設されている。
【００４６】
なお、ハンガー本体１を形成している上記左右の肩支持部３、３に、この肩支持部３、３の長さ方向にスライド可能なスライダー12、12をそれぞれ設けておいてもよい。
【００４７】
このスライダー12は、断面Ｕ字状に湾曲してあり、肩支持部３、３に上方から被せて嵌合させてあり衣料の肩幅に応じてハンガー本体１の左右肩支持部３、３から外方に引出して肩幅の広い衣料をハンガー本体１からこれらのスライダー12、12に亘って掛けることにより衣料を左右に拡げた状態で吊り下げることができる。
【００４８】
なお、スライダー12、12の上面部には、長さ方向に所定間隔毎に貫通孔13を設けておいてもよく、これにより通性を良くして、衣料の乾燥を促進させることができる。また、ハンガー本体１の肩支持部３とスライダー12との対向面に長さ方向に一定間隔毎に互いに係脱する突起（図示せず）を設けておき、スライダー12、12をハンガー本体１の左右肩支持部３、３の長さ方向に所定長さずつ断続的に引き出すように構成しておいてもよい。
【符号の説明】
【００４９】
１  ハンガー本体
２  フック部
３、３  肩支持部
４、４  左右フード掛け杆
５  連結部材
７、７  支軸
８、８  扇形歯車
９、多角形壁部
【図１】
2020124310.tif 000003
【図２】
2020124310.tif 000004
【図３】
2020124310.tif 000005
【図４】
2020124310.tif 000006
【図５】
2020124310.tif 000007
【図６】
2020124310.tif 000008
【図７】
2020124310.tif 000009
【図８】
2020124310.tif 000010
【図９】
2020124310.tif 000011